(57)【要約】      （修正有）【課題】壁などに立てかけた際、倒れない杖を提供する。【解決手段】杖２の持ち手部３に、表面が滑り止め機能を有する別体の杖用持ち手カバー１を着脱自在に取り付け、該杖用持ち手カバー１と壁面等との摩擦力により、杖２が倒れることを防止する。【選択図】図１（Ａ）
2005237893.tif 000002
【特許請求の範囲】
【請求項１】
杖のＴ字型持ち手部を被覆するための、着脱自在で柔軟性のある平面部材よりなり、該平面部材は杖の支柱が貫通し得る貫通孔を有し、同時に、その両端部に該両端部を互いに接合、剥離することが可能な接合部を有し、しかも滑り止め機能を有していることを特徴とする杖用持ち手カバー。
【請求項２】
貫通孔が中央部より偏在した位置に形成されていることを特徴とする請求項１記載の杖用持ち手カバー。
【請求項３】
平面部材の表面、及び裏面がいずれも滑り止め機能を有していることを特徴とする請求項１記載の杖用持ち手カバー。
【請求項４】
接合部がタッチファスナーで形成されていることを特徴とする請求項１記載の杖用持ち手カバー。
【請求項５】
滑り止め機能が、滑り止め剤を塗布して得られることを特徴とする請求項１記載の杖用持ち手カバー。
【請求項６】
平面部材が布帛であることを特徴とする請求項１記載の杖用持ち手カバー。
【請求項７】
平面部材がラッシェル・ネット地であることを特徴とする請求項１記載の杖用持ち手カバー。
【請求項８】
杖のＴ字型持ち手部を被覆するための、着脱自在で柔軟性のある平面部材よりなり、該平面部材は杖の支柱が貫通し得る貫通孔を中央部より偏在して有し、同時に、その両端部に該両端部を互いに接合、剥離することが可能な接合部を有し、しかも、表面及び裏面かいずれも滑り止め機能を有しており、且つ接合部がタッチファスナーで形成されていることを特徴とする杖用持ち手カバー。
【発明の詳細な説明】
【技術分野】
【０００１】
本発明は、杖用持ち手カバーに関する。具体的には、杖を壁等に立てかけた際に倒れてしまう不便を回避するための、杖の持ち手部に取り付ける、滑り止め機能を有する杖用持ち手カバーに関する。
【背景技術】
【０００２】
主に歩行補助具として使用される杖には、その使い勝手の面で多くの工夫がなされている。
特に持ち手部の形状に重きが置かれていて、昨今では持ち易い観点から見て人間工学の面からＴ字型が主流となっている。
また、素材面においては、天然木、アルミ等の金属、或いは熱硬化性樹脂、合成ゴム、更には、金属と樹脂の複合等、多種のものが用いられているが、中でも持ち手部に関しては、金属や樹脂で形成された骨格部を合成ゴム等のソフト部材で被覆形成したものや植毛して触感や把持力を高めたものも見られる。（特許文献１参照）
その他、その機能性の面では、持ち手部の部分に照明機能を付与したり、支柱部分を伸縮自在にする、或いは、石突きの部分にゴムキャップを取り付け、杖を突いた際のショックを和らげる等の種々の手段が講じられている。
【特許文献１】実用新案登録第３０８４５２３号
【特許文献２】特開２００２−３０６２１７号公報
【発明の開示】
【発明が解決しようとする課題】
【０００３】
上記したいずれの手段も使用時において使い勝手の良い機能を提供したものであり、それには、軽量で、丈夫で、握り易い等の利点が見られる。
ところが、これらの便利な杖も、確かに使用時にはその機能性が発揮されるが、使用をやめて、一旦、使用者の手元から離れる際に問題が生ずる。
つまり、使用者が帰宅した際、或いは外出して目的地に着いた際、杖をどこかに格納する必要があるが、傘立てなどが常に身近にあるとは限らない場合が多い。
また、例え傘立て等があっても、身体に自信のない者は、できるだけ身近に杖を置いておきたい願望がある。
【０００４】
そう言った状況下で、使用者は、杖をテーブルや机、或いはカウンターの上面に掛けようと試みるが、持ち易いように人間工学的に曲線部で形成された持ち手部では、殆どが思うようにはいかない。
最も、特許文献１に見られるように、持ち手部の下面を平坦にし、同時に持ち手部と支柱部を直角に形成して机などの上面に掛け易い形状にする等の提案もあるが、この形状では持ち手部が握りにくく、使用者の使い勝手を無視した手段であると言わざるを得ない。
そこで、使用者のとる最も多い手段として、例えば、腰板や壁、或いはロッカーの側面に杖を立てかけることとなる。（特許文献２参照）
【０００５】
ところが、一本の棒状の杖を立てかけたままの状態に維持することは極めて困難であり、大抵、壁面を滑って倒れてしまうことが多い。
こうなると、再度、この杖を使用しようとする場合、しゃがみ込んで、これを取り上げることは使用者に大きな負担となる。
特に、杖を使用する人は身体的に障害のある人や或いは老人が多く、腰を曲げて杖を取り上げることや膝を曲げて杖を取り上げることは困難な場合が多いのである。
その他、倒れた際、杖の持ち手部に傷が付く、破損する等の物的問題も発生する。
【０００６】
このように、従来の杖は、使用時の機能性はそれなりに追求されているものの、これを一旦、手元から離す場合の利便性が考慮されていない。
この、杖が倒れてしまう問題については、上記特許文献１の他に、金属や樹脂で形成された骨格部を合成ゴム等のソフト部材で被覆形成し、把持力、感触を向上させた持ち手部が提案されている。
このソフト部材が、意図しない効果として壁面等との摩擦力を高めて、倒れ防止機能を発揮しているのである。
しかし、このような手段は、杖の製造段階で付与される手段であり、今、既に使用されている杖に手軽に適用できる手段ではない。
杖には長い間使用してきた愛着のあるものや、木、竹などの天然素材、更には好みの問題もあって、前記手段ですべてを解決することは不可能である。
【０００７】
このように、従来の杖には、壁などに立てかけた際、壁面を滑って倒れてしまうという回避し難い問題があり、これを解決する効果的手段が存在しなかった。
本発明は、このような問題を解決するためのものである。
【課題を解決するための手段】
【０００８】
そこで、本発明においては、図１に示すようにＴ字型持ち手部３を有する種々のタイプの杖に着脱自在に適用できる杖用持ち手カバー１を提供する。
【０００９】
即ち、本発明は、（１）、杖のＴ字型持ち手部を被覆するための、着脱自在で柔軟性のある平面部材よりなり、該平面部材は杖の支柱が貫通し得る貫通孔を有し、同時に、その両端部に該両端部を互いに接合、剥離することが可能な接合部を有し、しかも滑り止め機能を有している杖用持ち手カバーに存する。
【００１０】
そして、（２）、貫通孔が中央部より偏在した位置に形成されている杖用持ち手カバーに存する。
【００１１】
そしてまた、（３）、平面部材の表面、及び裏面がいずれも滑り止め機能を有している請求項１記載の杖用持ち手カバーに存する。
【００１２】
そしてまた、（４）、接合部がタッチファスナーで形成されている杖用持ち手カバーに存する。
【００１３】
そしてまた、（５）、滑り止め機能が、滑り止め剤を塗布して得られる杖用持ち手カバーに存する。
【００１４】
そしてまた、（６）、平面部材が布帛である杖用持ち手カバーに存する。
【００１５】
そしてまた、（７）、平面部材がラッシェル・ネット地である杖用持ち手カバー。
に存する。
【００１６】
そしてまた、（８）、杖のＴ字型持ち手部を被覆するための、着脱自在で柔軟性のある平面部材よりなり、該平面部材は杖の支柱が貫通し得る貫通孔を中央部より偏在して有し、同時に、その両端部に該両端部を互いに接合、剥離することが可能な接合部を有し、しかも、表面及び裏面かいずれも滑り止め機能を有しており、且つ接合部がタッチファスナーで形成されている杖用持ち手カバーに存する。
【００１７】
なお、本発明の目的に沿ったものであれば、上記（１）から（８）を適宜組み合わせた構成も採用可能である。
【発明の効果】
【００１８】
本発明は、杖を壁等に立てかけた際に倒れてしまうのを防ぐ手段として、杖のＴ字型持ち手部３に、表面が滑り止め機能を有する別体の杖用持ち手カバー１を着脱自在に取り付け、その杖用持ち手カバー１と壁面等との摩擦力により、杖が倒れることを防止する手段を採用しているので、Ｔ字型持ち手部３を有する杖であれば、その素材、形を問わず如何なる杖にも、容易に杖の倒れ防止機能を付与できる利点がある。
また、本杖用持ち手カバー１は、発明の要旨の範囲内で色、形などの多様な変化が可能であることから装飾性を有し、ファッション効果も得られる。
【発明を実施するための最良の形態】
【００１９】
本杖用持ち手カバー１においては、その素材に布地を用いて持ち手部形状に充分になじむ柔軟性や伸縮性を得た。
また、滑り止め機能は、後加工により滑り止め剤１５を塗布して付与することから、平面部材１１の素材を選ばない利点を得た。
更に、接合部にはワンタッチで着脱が可能な接合部材１４を採用した。
【００２０】
〔第１の実施の形態〕
本実施の形態においては、図２（Ａ）に示すように角に丸みを付けた４角形状の平面部材１１を用いる。
この平面部材１１は、その中央部近傍に杖２の支柱４を貫通させるための貫通孔１２を有する。
本実施の形態では貫通孔１２は、平面部材１１の中央部よりは、少し上方に、そして少し一方側に偏在して形成されている。
これは杖の持ち手部形状と取り付けの際の接合位置によって多少変わることとなる。
【００２１】
Ｔ字型持ち手部３は把持部材３１と支持部材３２とで形成されているが、本実施の形態においては、把持部材３１から支持部材３２が突き出る位置が把持部材３１の中心部より上方にずれているので、それに応じて貫通孔１２は平面部材１１の上方にずれて設けられている。
また、図１（Ｂ）に示すように本杖用持ち手カバー１を取り付ける際、その接合箇所が真上（矢印Ｐ１参照）から見て一方にずれている（矢印Ｐ２参照）ので貫通孔１２の位置も一方側へ偏ることとなる。
【００２２】
本平面部材１１の素材には織物を使用していて、その縁と貫通孔１２の縁は縁取り１３がされている。
そして、平面部材１１の表面には、図２（Ａ）に示すように合成ゴムの滑り止め剤１５がメッシュ状に塗布されている。
塗布形状としては図２（Ｂ）の断面模式図に示すように滑り止め剤１５は蒲鉾状に盛り上げて塗布される。
塗布形状は、本実施形態に限らず、ドット状、ライン状、平面状等、種々の形状が可能である。  また、図２（Ｂ）に示すように、滑り止め剤１５は必要に応じて平面部材１１の表面ＳＦ、裏面ＢＦともに塗布される。
表面ＳＦへの塗布は、杖の滑り止め機能を発揮するとともに使用者の把持力を高め、使い勝手が良くなる。
そして、裏面ＢＦへの塗布は、杖用持ち手カバー１の裏面ＢＦとＴ字型持ち手部３の表面との滑りをなくし、使用の際に杖用持ち手カバー１がずれてしまうなどの問題を排除する。
【００２３】
そして、本杖用持ち手カバー１の取り付けに関しては、平面部材１１の左右両端に接合部材１４が取り付けられ、接合部Ｋを形成している。
本実施の形態においては接合部材１４にはワンタッチで着脱が可能なタッチファスナー用いている。
このように構成された杖用持ち手カバー１は、その貫通孔１２に杖２の石突き５を通し、Ｔ字型持ち手部３まで引き上げて接合部Ｋで両端部を接合して使用される。
【００２４】
〔第２の実施の形態〕
本実施の形態においては、図３に示すように平面部材１１にネット地を用いる。
ネット地は孔目のあるものであればいかなるものでも良いが、ここでは経編地の一種であるラッシェル・ネット地Ｒを用いる。
ネット目の形状は亀甲目であり、その素材にはポリエステル・ウーリー糸とポリウレタン糸を用いていて伸縮性を得ている。
そして、このラッシェル・ネット地Ｒに、合成ゴム系の滑り止め剤１５が全体的にディッピングされる。
ここに言うディッピングとは、合成ゴム系の滑り止め剤１５を液状に溶融した状態にして、これにラッシェル・ネット地Ｒを浸漬することを言う。
【００２５】
滑り止め剤１５は、図３（Ｂ）の断面模式図に示すようにラッシェル・ネット地Ｒを芯としてその周りを取り巻くようにディッピングされる。
このようにすることで本杖用持ち手カバー１はその表裏ともに滑り止め機能を有することとなる。
接合部Ｋや貫通孔１２、並びに縁取り１３に関しては第１の実施の形態と同様である。
【００２６】
このように形成された杖用持ち手カバー１は、滑り止め機能を有することは言うに及ばず、ラッシェル・ネット地Ｒ自体の伸縮性、更には合成ゴム系の滑り止め剤１５の伸縮性が相まって、Ｔ字型持ち手部３に取り付けた際に持ち手部形状に確りと馴染み、ずれることもなく使用者にとって極めて使い勝手が良い。
【００２７】
以上、第１及び第２の実施の形態について説明したが、この他、平面部材１１に合成ゴム等のそれ自体が滑り止め機能を有している素材を使用することや、織物と滑り止め機能を有する部材をラミネートして使用することは本発明として当然可能である。
この場合は、滑り止め剤１５を必ずしも塗布する必要はない。
【産業上の利用可能性】
【００２８】
本杖用持ち手カバー１は、柔軟性のある素材に滑り止め機能を付与し、着脱自在の特徴を有しているので、杖以外の、持ち手部を有する棒状製品に応用可能である。
例えば、スコップ、スキー・ストック等の家庭用品、スポーツ用品等にも応用できる。
【００２９】
本発明においてはＴ字型持ち手部３を対象としたが、必ずしもＴ字型である必要はなく、杖が滑って倒れるのを防止する思想においては、逆Ｌ字型、Ｉ字型、一字型等の持ち手部を有する製品にも充分応用可能である。
また、素材面においても、織物、編物、不織布、皮革、人口皮革、ポリウレタン樹脂、合成ゴム等の種々の素材使用が可能である。
【図面の簡単な説明】
【００３０】
【図１（Ａ）】図１（Ａ）は、  杖用持ち手カバーの取り付け状態を示す概略正面図である。
【図１（Ｂ）】図１（Ｂ）は、  杖用持ち手カバーの取り付け状態を示す一部断面の概略側面図である。
【図２（Ａ）】図２（Ａ）は、  杖用持ち手カバーの概略裏面図である。
【図２（Ｂ）】図２（Ｂ）は、  杖用持ち手カバーの概略断面図である。である。
【図３（Ａ）】図３（Ａ）は、ラッシェル・ネット地を平面部材とする杖用持ち手カバーの概略裏面図である。
【図３（Ｂ）】図３（Ｂ）は、ラッシェル・ネット地を平面部材とする杖用持ち手カバーの概略断面図である。
【符号の説明】
【００３１】
１      杖用持ち手カバー
１１    平面部材
１２    貫通孔
１３    縁取り
１４    接合部材
Ｋ      接合部
１５    滑り止め剤
２      杖
３      Ｔ字型持ち手部
３１    把持部材
３２    支持部材
４      支柱
５      石突き
Ｒ      ラッシェル・ネット地
ＳＦ    表面
ＢＦ    裏面
【図１（Ａ）】
2005237893.tif 000003
【図１（Ｂ）】
2005237893.tif 000004
【図２（Ａ）】
2005237893.tif 000005
【図２（Ｂ）】
2005237893.tif 000006
【図３（Ａ）】
2005237893.tif 000007
【図３（Ｂ）】
2005237893.tif 000008